(57)【要約】  医療機器（１０）は、生体の体表に配置される一対の電極（１２）と、一対の電極（１２）に電気パルスを供給して、一対の電極（１２）のうち陰極（２０）の配置位置の体内に過酸化水素を生成させる電気パルス供給部（４２）とを有する。さらに、医療機器（１０）は、体表に配置され該体表を圧迫することで、過酸化水素の移動を促す送出用圧迫部（２８）を備える。或いは、医療機器（１０）は、陰極（２０）の配置位置周辺の体表を圧迫することで、配置位置付近に過酸化水素を停滞させる停滞用圧迫部（３０）を備える。
2019176821.tif 000002
【特許請求の範囲】
【請求項１】
生体の体表に配置される一対の電極と、
前記一対の電極に電気パルスを供給して、前記一対の電極のうち陰極の配置位置の体内に過酸化水素を生成させる電気パルス供給部と、
前記体表に配置され該体表を圧迫することで、前記過酸化水素の移動を促す送出用圧迫部と、を備える
ことを特徴とする医療機器。
【請求項２】
請求項１記載の医療機器において、
前記送出用圧迫部は、前記陰極に重なるように設けられる
ことを特徴とする医療機器。
【請求項３】
請求項１又は２記載の医療機器において、
前記送出用圧迫部への加圧流体の供給及び排出を行い、該送出用圧迫部を拡張及び収縮させるポンプ部と、
前記電気パルス供給部及び前記ポンプ部の動作を制御する制御部と、を有し、
前記制御部は、前記一対の電極に前記電気パルスを供給して前記過酸化水素を生成した後に、前記送出用圧迫部を拡張状態とする
ことを特徴とする医療機器。
【請求項４】
請求項３記載の医療機器において、
前記電気パルス供給部は、前記一対の電極に対し、前記過酸化水素を生成させる生成用周波数の前記電気パルスを供給可能であると共に、前記一対の電極により生体組織を収縮させる送出用周波数の前記電気パルスを供給可能である
ことを特徴とする医療機器。
【請求項５】
請求項４記載の医療機器において、
前記制御部は、前記送出用圧迫部の前記拡張状態で前記送出用周波数の前記電気パルスを供給させる
ことを特徴とする医療機器。
【請求項６】
請求項５記載の医療機器において、
前記制御部は、前記送出用圧迫部に前記加圧流体を供給させた第１拡張状態として、前記生成用周波数の前記電気パルスを供給させ、
前記第１拡張状態からさらに前記加圧流体を供給させた第２拡張状態として、前記送出用周波数の前記電気パルスを供給させる
ことを特徴とする医療機器。
【請求項７】
請求項１〜６のいずれか１項に記載の医療機器において、
前記陰極の配置位置周辺の前記体表を圧迫することで、前記配置位置付近に前記過酸化水素を停滞させる停滞用圧迫部を備える
ことを特徴とする医療機器。
【請求項８】
請求項７記載の医療機器において、
前記停滞用圧迫部は、前記送出用圧迫部の全周を囲うように設けられる
ことを特徴とする医療機器。
【請求項９】
生体の体表に配置される一対の電極と、
前記一対の電極に電気パルスを供給して、前記一対の電極のうち陰極の配置位置の体内に過酸化水素を生成させる電気パルス供給部と、
前記陰極の配置位置周辺の前記体表を圧迫することで、前記配置位置付近に前記過酸化水素を停滞させる停滞用圧迫部と、を備える
ことを特徴とする医療機器。
【請求項１０】
請求項９記載の医療機器において、
前記停滞用圧迫部への加圧流体の供給及び排出を行い、該停滞用圧迫部を拡張及び収縮させるポンプ部と、
前記電気パルス供給部及び前記ポンプ部の動作を制御する制御部と、を有し、
前記制御部は、前記停滞用圧迫部を拡張状態とした後に、前記一対の電極に前記電気パルスを供給して前記過酸化水素を生成する
ことを特徴とする医療機器。
【請求項１１】
請求項１〜１０のいずれか１項に記載の医療機器において、
前記陰極を有するパッドと、
前記パッドを前記生体に巻きつけ可能なベルトと、を備え、
前記陰極は、前記ベルトと重なる位置に設けられる
ことを特徴とする医療機器。
【請求項１２】
請求項１〜１１のいずれか１項に記載の医療機器において、
前記電気パルス供給部は、前記一対の電極による前記電気パルスの供給前に、前記生体のインピーダンスを測定する
ことを特徴とする医療機器。
【発明の詳細な説明】
【技術分野】
【０００１】
本発明は、電気刺激により過酸化水素を生成して生体の治療を促進する医療機器に関する。
【背景技術】
【０００２】
近年、生体の種々の症状に過酸化水素を利用して治療を促進する技術が注目されている。過酸化水素は、通常、輸液によって生体に投与されるが、経血管的投与では、生体に存在するカタラーゼ酵素により過酸化水素が代謝されるため、治療箇所に達する過酸化水素の量が少なくなり、長時間の治療（拘束）が必要となる。【０００３】
また、輸液療法以外にも、生体に電気刺激を加えることで、生体内で過酸化水素を生成して、この過酸化水素を利用する方法も考案されている。例えば、米国特許第５４５８６２７号明細書には、骨の再生治療において、治療部位に電気刺激を加えることで、生体中の酸素と水の電気化学反応により過酸化水素を陰極近傍に生じさせ、この過酸化水素を骨の再生に用いる技術が開示されている。
【発明の概要】
【０００４】
ところで、米国特許第５４５８６２７号明細書に開示の医療機器は、生体内の酸素濃度やｐＨに基づいて電気刺激の条件を設定し、この条件に基づき電気刺激を生体に加えることで、過酸化水素の生成量を調整している。しかしながら、この構成では、酸素濃度やｐＨを測定するセンサを生体内に挿入しなければ正確な状態を把握することが難しく、センサを生体に挿入することで、生体への侵襲が大きくなると共に、装置のコストが増加する要因ともなる。
【０００５】
本発明は、上記の実情に鑑みてなされたものであって、電気刺激により生体内に生成される過酸化水素を、低侵襲且つ低コストで適切に管理することで、治療をより効果的に促進することができる医療機器を提供することを目的とする。
【０００６】
前記の目的を達成するために、本発明に係る医療機器は、生体の体表に配置される一対の電極と、前記一対の電極に電気パルスを供給して、前記一対の電極のうち陰極の配置位置の体内に過酸化水素を生成させる電気パルス供給部と、前記体表に配置され該体表を圧迫することで、前記過酸化水素の移動を促す送出用圧迫部と、を備えることを特徴とする。
【０００７】
この場合、前記送出用圧迫部は、前記陰極に重なるように設けられることが好ましい。
【０００８】
また、医療機器は、前記送出用圧迫部への加圧流体の供給及び排出を行い、該送出用圧迫部を拡張及び収縮させるポンプ部と、前記電気パルス供給部及び前記ポンプ部の動作を制御する制御部と、を有し、前記制御部は、前記一対の電極に前記電気パルスを供給して前記過酸化水素を生成した後に、前記送出用圧迫部を拡張状態とするとよい。
【０００９】
さらに、前記電気パルス供給部は、前記一対の電極に対し、前記過酸化水素を生成させる生成用周波数の前記電気パルスを供給可能であると共に、前記一対の電極により生体組織を収縮させる送出用周波数の前記電気パルスを供給可能であるとよい。
【００１０】
上記に加えて、前記制御部は、前記送出用圧迫部の前記拡張状態で前記送出用周波数の前記電気パルスを供給させることが好ましい。
【００１１】
またさらに、前記制御部は、前記送出用圧迫部に前記加圧流体を供給させた第１拡張状態として、前記生成用周波数の前記電気パルスを供給させ、前記第１拡張状態からさらに前記加圧流体を供給させた第２拡張状態として、前記送出用周波数の前記電気パルスを供給させる構成とすることができる。
【００１２】
そして、医療機器は、前記陰極の配置位置周辺の前記体表を圧迫することで、前記配置位置付近に前記過酸化水素を停滞させる停滞用圧迫部を備えることが好ましい。
【００１３】
特に、前記停滞用圧迫部は、前記送出用圧迫部の全周を囲うように設けられるとよい。
【００１４】
また前記の目的を達成するために、本発明は、生体の体表に配置される一対の電極と、前記一対の電極に電気パルスを供給して、前記一対の電極のうち陰極の配置位置の体内に過酸化水素を生成させる電気パルス供給部と、前記陰極の配置位置周辺の前記体表を圧迫することで、前記配置位置付近に前記過酸化水素を停滞させる停滞用圧迫部と、を備えることを特徴とする。
【００１５】
この場合、医療機器は、前記停滞用圧迫部への加圧流体の供給及び排出を行い、該停滞用圧迫部を拡張及び収縮させるポンプ部と、前記電気パルス供給部及び前記ポンプ部の動作を制御する制御部と、を有し、前記制御部は、前記停滞用圧迫部を拡張状態とした後に、前記一対の電極に前記電気パルスを供給して前記過酸化水素を生成する構成であるとよい。
【００１６】
さらに、医療機器は、前記陰極を有するパッドと、前記パッドを前記生体に巻きつけ可能なベルトと、を備え、前記陰極は、前記ベルトと重なる位置に設けられることが好ましい。
【００１７】
また、前記電気パルス供給部は、前記一対の電極による前記電気パルスの供給前に、前記生体のインピーダンスを測定するとよい。
【００１８】
本発明によれば、医療機器は、電気パルス供給部から一対の電極に電気パルスを供給することで、陰極の配置位置の体内に過酸化水素を良好に生成することができる。そして、送出用圧迫部は、体表を圧迫することで、生成された過酸化水素を陰極の配置位置から周辺部に移動させる。すなわち、輸液療法に比べて治療箇所に対して過酸化水素の濃度を高めることが可能となり、短い時間で過酸化水素による治療を促進することができる。しかも、一対の電極及び送出用圧迫部は、侵襲性なく体表に配置され、医師の手技を必要としなくてよい。また、医療機器は、陰極の配置位置付近に過酸化水素が多く滞留することによる組織の炎症や損傷の発生等を低減することができ、陰極の配置位置付近の過酸化水素を移動させた後、再び過酸化水素の生成を行うことが可能となる。従って、過酸化水素の生成効率を高めることができる。
【００１９】
また、医療機器は、停滞用圧迫部により体表を圧迫することで、生成された過酸化水素を陰極の配置位置に停滞させる。そして、停滞用圧迫部も、侵襲性なく体表に配置され、医師の手技を必要としなくてよい。また、医療機器は、停滞用圧迫部の圧迫を解消することで、過酸化水素を簡単に拡散させて組織の炎症や損傷の発生等を低減することができる。
【図面の簡単な説明】
【００２０】
【図１】本発明の一実施形態に係る医療機器の全体構成を概略的に示す説明図である。
【図２】図２Ａは、電極による過酸化水素の生成原理を説明する第１説明図である。図２Ｂは、電極による過酸化水素の生成原理を説明する第２説明図である。
【図３】医療機器の使用における第１処理フローを示すフローチャートである。
【図４】図４Ａは、送出用圧迫部の拡張状態を示す側面断面図である。図４Ｂは、停滞用圧迫部の拡張状態を示す側面断面図である。
【図５】医療機器の使用における第２処理フローを示すフローチャートである。
【図６】医療機器の使用における第３処理フローを示すフローチャートである。
【図７】医療機器の使用における第４処理フローを示すフローチャートである。
【図８】図８Ａは、第１変形例に係る医療機器を示す平面図である。図８Ｂは、第２変形例に係る医療機器を示す平面図である。
【発明を実施するための形態】
【００２１】
以下、本発明について好適な実施形態を挙げ、添付の図面を参照して詳細に説明する。
【００２２】
図１に示すように、本発明の一実施形態に係る医療機器１０は、電気刺激を生体に加えて、過酸化水素（Ｈ2Ｏ2）を体内に生成する装置である。体内で生成された過酸化水素は、他の分子と反応することで生体組織や他の様々な物質を酸化還元し、これにより、糖代謝の促進、ＡＴＰ産生の増加、細菌やウィルスの除去、単球マクロファージ、ヘルパーＴ細胞の活性化、血中コレステロールや中性脂肪の減少、肺胞の血流を増加して酸化を促進、壊死、障害組織の除去、プロゲステロン、サイロキシン等のホルモンの生成を促進する等の効果が期待できる。
【００２３】
そのため、過酸化水素は、種々の治療に利用可能となっている。治療の症例としては、呼吸器疾患（ＣＯＰＤ、気管支喘息、肺気腫）、ウィルス感染（単純ヘルペス、帯状疱疹、ＨＩＶ、インフルエンザ、ＥＢウィルス、サイトメガロウィルス）、細菌感染症、真菌、カンジダ感染症、片頭痛、群発頭痛、血管性頭痛、側頭動脈炎、脳血管疾患、アルツハイマー病、パーキンソン病、循環器疾患（狭心症、不整脈、末梢動脈疾患）、２型糖尿病、多発性硬化症、慢性関節リウマチ、エリテマトーデス、転移性ガン、悪性リンパ腫、神経芽腫、慢性疲労症候群等があげられる。
【００２４】
以下では、医療機器１０を２型糖尿病の治療に適応した例を詳述するが、本発明に係る医療機器１０は、適宜の改変を施すことにより種々の治療に使用し得ることは勿論である。
【００２５】
医療機器１０は、使用者に装着され電気刺激を与える第１装着体１４及び第２装着体１６と、第１及び第２装着体１４、１６に接続され電気刺激等の供給制御を行うコントローラ１８（制御部）と、を有する。第１装着体１４には、電気刺激を加える一対の電極１２の一方である陰極２０が設けられ、第２装着体１６には、一対の電極１２の他方である陽極２２が設けられる。
【００２６】
ここで、本発明の理解の容易化のため、図２Ａ及び図２Ｂを参照して、一対の電極１２を用いた過酸化水素の生成原理について説明する。図２Ａに示すように、医療機器１０の使用において、陰極２０は、使用者の体表の治療箇所に近接又は接触する位置に留置される。なお図示を省略しているが、陽極２２は、例えば、第２装着体１６によって陰極２０の配置位置から比較的近い位置の体表に留置される。
【００２７】
そして、コントローラ１８は、電気刺激として所定の周波数の電気パルスを陰極２０及び陽極２２に供給する。電気パルスは、使用者の体内を介して陰極２０と陽極２２の間を通電する。すなわち、体内に、振動するエネルギーを有した電子（ｅ-）が供給される。生体組織には、酸素（Ｏ2）及び水（Ｈ2Ｏ）が多く存在しており、陰極２０から放出された電子の一部は、これら酸素や水と化学反応する。具体的には、陰極２０の付近において、以下の反応が生じる（図２Ｂも参照）。
Ｏ2＋２Ｈ2Ｏ＋４ｅ-→４ＯＨ-
【００２８】
この際、２次産物として過酸化水素（Ｈ2Ｏ2）が生じることになる。つまり、体表に配置された陰極２０及び陽極２２は、電気パルスが印加されることで、陰極２０の配置位置付近の体内に、過酸化水素を非侵襲で生成することができる。
【００２９】
本実施形態に係る医療機器１０は、以上の原理によって生じる過酸化水素について、その生成量及び分布状態を適切に管理するように構成されている。以下、この医療機器１０の各構成について具体的に述べていく。
【００３０】
図１に戻り、医療機器１０の第１装着体１４は、陰極２０を備える第１パッド２４と、第１パッド２４が固定されて使用者に巻きつけられるベルト２６と、を有する。そして、第１パッド２４には、陰極２０の他に、送出用圧迫部２８及び停滞用圧迫部３０が設けられている。一方、第２装着体１６は、陽極２２を備える第２パッド３２によって構成されている。
【００３１】
第１パッド２４は、適度な可撓性及び剛性を有するシートで構成され、平面視で、四隅が丸角の方形を呈している。医療機器１０は、上述したように２型糖尿病の治療に使用する構成であり、第１パッド２４は、皮下脂肪が肥厚した箇所（例えば、腹部）を充分に覆うことが可能な平面形状に設計されている。そして、第１パッド２４の一方面が、適宜の固定手段（縫い付け、接着等）によって、直線状に延在するベルト２６に固着されている。
【００３２】
第１パッド２４が固着されるベルト２６は、使用者の体表に巻きつけることで、第１パッド２４を使用者の治療箇所に位置決め固定する。ベルト２６は、使用者に装着する際に、その長さが調整可能に構成されているとよい。
【００３３】
また、上記の陰極２０、送出用圧迫部２８及び停滞用圧迫部３０は、ベルト２６が固定されている一方面とは反対側の第１パッド２４の他方面に設けられている。
【００３４】
陰極２０は、使用者の体表に配置された第２パッド３２の陽極２２との間で、生体内を介して電気パルスを導通させる。陰極２０は、第１パッド２４の上下及び左右幅方向中心位置に配置されている。この陰極２０の配置位置は、ベルト２６の延在部分にちょうど重なっている。陰極２０は、所定の直径の正円形状に形成され、また電気配線３４を介して、コントローラ１８に電気的に接続されている。
【００３５】
陰極２０は、銀やチタン等の金属材料やカーボンを用いた板状、箔状又は細い棒状の導電体であり、送出用圧迫部２８に重なる位置に保持されている。例えば、第１パッド２４は、送出用圧迫部２８の生体接触面部２８ａを複数層で形成しており、層の間に陰極２０を配置している。これにより陰極２０は、生体接触面部２８ａにおいて非露出となっている。なお、生体接触面部２８ａには、陰極２０の収容位置を示す印刷部が形成されているとよい。また、陰極２０は、送出用圧迫部２８の生体接触面部２８ａに貼り付けられ、外側に露出していてもよい。
【００３６】
送出用圧迫部２８は、第１パッド２４の平面形状に相似し、第１パッド２４よりも小さいサイズの方形に形成されている。送出用圧迫部２８は、エア（加圧流体）を流入、保持及び流出可能な空洞を有する袋体に構成され、適宜の固定手段（縫い付け、接着等）により第１パッド２４の他方面に固定されている。送出用圧迫部２８には、第１チューブ３６が接続され、第１チューブ３６は、コントローラ１８に接続されている。コントローラ１８は、第１チューブ３６を介して送出用圧迫部２８へのエアの供給及び排出を行うことで、送出用圧迫部２８を拡張及び収縮させる。
【００３７】
送出用圧迫部２８は、第１パッド２４に固定される周辺部２９ａが拡縮（変形）し易く、周辺部２９ａの内側に連なる生体接触面部２８ａの大部分が周辺部２９ａよりも高い剛性を有することで陰極２０を支持する面状部２９ｂに構成される。よって、空洞へのエアの供給に伴い、面状部２９ｂが全体的に第１パッド２４から離間し、第１装着体１４の装着状態で対向する体表を押圧する。具体的に、送出用圧迫部２８は、エアが存在しない収縮状態と、陰極２０が充分に接触する程度にエアを供給した第１拡張状態と、第１拡張状態からエアをさらに供給して生体に充分な押圧力をかけることが可能な第２拡張状態と、に変形する。
【００３８】
また、送出用圧迫部２８は、その短手方向の寸法が陰極２０の直径よりも長く設定され、生体接触面部２８ａ（面状部２９ｂ）の中央において陰極２０を保持している。生体接触面部２８ａは、第１及び第２拡張状態で、正円形状の陰極２０全体を体表に押しつけることが可能である。
【００３９】
送出用圧迫部２８を構成する材料は、特に限定されるものではないが、例えば、ポリブタジエン系、ニトリル系、クロロプレン系等の合成ゴムやポリイソプレン等の天然ゴム、又はウレタンゴム、シリコンゴム、フッ素ゴム等の熱硬化性エラストマー、熱可塑性エラストマー、或いは他のエラストマー等の弾性材料を適用するとよく、或いは植物繊維や合成繊維等により構成された織布や不織布でもよい。
【００４０】
一方、停滞用圧迫部３０は、第１パッド２４の他方面において、送出用圧迫部２８の周囲に設けられている。停滞用圧迫部３０は、第１パッド２４の平面形状よりも一回り小さい無端状且つ略方形状の囲いとして形成されている。この停滞用圧迫部３０も、エア（加圧流体）を流入、保持及び流出可能な空洞を有する袋体に構成されている。停滞用圧迫部３０には、第２チューブ３８が接続され、第２チューブ３８は、コントローラ１８に接続されている。コントローラ１８は、第２チューブ３８を介して停滞用圧迫部３０へのエアの供給及び排出を行うことで、送出用圧迫部２８とは独立的に停滞用圧迫部３０を拡張及び収縮する。
【００４１】
停滞用圧迫部３０は、空洞へのエアの供給に伴い、囲い全体が断面視で略半球状に隆起し、第１装着体１４の装着状態で対向する体表を押圧する。つまり、停滞用圧迫部３０は、拡張状態で、略方形状のラインに沿って体表に押圧力をかけることができる。停滞用圧迫部３０を構成する材料も、特に限定されず、例えば、送出用圧迫部２８であげた材料を適用し得る。
【００４２】
また、第２装着体１６（第２パッド３２）は、例えば、平面視で、正円形状に形成され、使用者の体表に貼り付け可能な生体接触面部３２ａを一方面に有している。そして、生体接触面部３２ａに、正円形状且つ陰極２０と同じサイズの陽極２２が設けられている。第２パッド３２の外形は、この陽極２２を配置可能となるように、一回り大きく形成されている。
【００４３】
陽極２２は、陰極２０と同様に、板状、箔状又は細い棒状の導電体であり、電気配線４０を介して、コントローラ１８に電気的に接続されている。なお、第２パッド３２は、第１パッド２４と同様に、生体接触面部３２ａを複数層で形成し、層の間に陽極２２を配置した構成であるとよい。また、陽極２２を外側に露出して生体と直接接触する構成としてもよい。
【００４４】
一方、医療機器１０のコントローラ１８は、陰極２０及び陽極２２に電気パルスを供給する電気パルス供給部４２と、送出用圧迫部２８及び停滞用圧迫部３０に対しエアの供給及び排出を行うポンプ部４４と、これらの動作を制御する制御本体部４６と、を有する。またコントローラ１８の内部には、各部に電力を供給可能なバッテリ４８が設けられている。
【００４５】
ここで、医療機器１０のコントローラ１８は、使用者に携帯可能に構成されることが好ましい。コントローラ１８が携帯可能であることで、使用者が医療機器１０全体を携帯することができ、日常の生活を無理なく営むことが可能となる。なお、コントローラ１８は、使用者に携帯されなくてもよく、例えばカート等に設置されて使用者がカートを押す構成でもよい。
【００４６】
また、電気パルス供給部４２、ポンプ部４４、制御本体部４６及びバッテリ４８は、１つの筐体５０（図１中の点線参照）に収められるだけでなく、異なる箇所に設置されてもよい。例えば、電気パルス供給部４２、制御本体部４６が一の筐体にあり、ポンプ部４４が他の筐体にあってもよい。さらに例えば、電気パルス供給部４２、ポンプ部４４、制御本体部４６がそれぞれ異なる筐体に収容されていてもよく、この場合、バッテリ４８は各部に個別に設けられていればよい。一の筐体と他の筐体は、使用者の異なる箇所に携帯されることができ、或いは一方又は両方を非携帯とすることもできる。
【００４７】
コントローラ１８の電気パルス供給部４２は、電気配線３４、４０を介して、所定の電圧、電流及び周波数の電気パルス（交流）を一対の電極１２に供給する。また、電気パルス供給部４２は、電気パルスの周波数、パルス幅、刺激時間の長さを変動可能としている。特に、本実施形態に係る医療機器１０は、一対の電極１２を用いて、過酸化水素を生成するための生成用周波数の電気パルスを印加すると共に、生体組織を収縮させるための送出用周波数の電気パルスを印加する構成となっている。つまり、一対の電極１２は、過酸化水素の生成用電極及び送出用電極として機能する。
【００４８】
具体的には、電気パルス供給部４２は、過酸化水素の生成用周波数として少なくとも５０Ｈｚより大きな周波数（例えば、１ｋＨｚ〜数十ｋＨｚの中周波又は高周波）の電気パルスを一対の電極１２間に供給する。この周波数レンジの電気パルスは、筋肉の収縮を殆ど起こさずに、電気パルスを体内に伝えることができるからである。
【００４９】
また、電気パルス供給部４２は、過酸化水素の送出用周波数として５０Ｈｚ以下の小さな周波数（低周波）の電気パルスを供給する。この周波数レンジの電気パルスは、治療部位の筋肉の収縮を積極的に起こし、電気パルスの供給を停止することで筋肉を弛緩させて（いわば筋肉をポンプのように動かして）、過酸化水素を他の部位に移動（送出）させることができる。
【００５０】
電気パルス供給部４２による過酸化水素の生成と、過酸化水素の送出の実施期間は、制御本体部４６によって制御される。なお、電気パルスのパルス幅（デューティ比）、電圧値及び電流値については、過酸化水素の生成や過酸化水素の送出等の目的に応じて適切な値に設定されるとよい。また、電気パルスの波形についても、特に限定されず、サイン波、方形波、三角波等でよい。
【００５１】
コントローラ１８のポンプ部４４は、外部のエアを吸引及び圧縮して第１及び第２チューブ３６、３８にエアを供給し、さらに供給したエアを排出する機能を有する。また、ポンプ部４４は、制御本体部４６の指令下に、第１チューブ３６（送出用圧迫部２８）と第２チューブ３８（停滞用圧迫部３０）に対し、エアの給排気を独立的に行うことが可能となっている。
【００５２】
コントローラ１８の制御本体部４６は、図示しないプロセッサ、メモリ、入出力インタフェースを有するコンピュータとして構成されている。制御本体部４６は、電気パルス供給部４２とポンプ部４４の各々に信号伝達可能に接続されている。この制御本体部４６は、電気パルス供給部４２及びポンプ部４４に動作指令を出力することで、一対の電極１２による電気刺激と、送出用圧迫部２８又は停滞用圧迫部３０による圧迫との実施を制御する。
【００５３】
また、制御本体部４６は、使用者の入力により医療機器１０の動作設定を行う図示しない入出力装置（例えば、タッチパネル）を備えるとよい。入出力装置は、治療（電気刺激や過酸化水素の送出）の実施期間や電気刺激の強さ等を使用者の任意に設定可能とする。或いは、制御本体部４６は、入出力装置を介して使用者の身長や体重、治療部位等の身体情報を入力させ、身体情報に基づき電気パルスの生成用周波数や送出用周波数を設定する構成でもよい。
【００５４】
制御本体部４６の内部には、時間を計測するタイマ部５２が設けられており、電気パルス供給部４２やポンプ部４４の動作時の実施期間を計測することが可能となっている。また、制御本体部４６は、電気パルス供給部４２及びポンプ部４４から動作状態の情報（例えば、電気パルスの出力状態や供給タイミング、エアの供給量等）を取得することで、治療状況を定常的に監視する構成であることが好ましい。
【００５５】
またさらに、コントローラ１８は、過酸化水素の生成を行う前に、一対の電極１２を利用して使用者の抵抗（インピーダンス）を測定する構成であるとよい。抵抗が低ければ、一対の電極１２が使用者の体表に充分に接触していると言えるからである。このため、電気パルス供給部４２は、インピーダンス測定部５４を内部に備える。インピーダンス測定部５４は、一対の電極１２に微弱の電力を供給しその変化を検出することでインピーダンスを算出する。
【００５６】
例えば、コントローラ１８は、送出用圧迫部２８にエアを供給する際に、検出するインピーダンスが所定の閾値以下になった場合に、一対の電極１２が充分に接触していると判断する。これにより過酸化水素の生成を効果的に行うことができる。なお、インピーダンスを比較する閾値は、使用者の状態（治療部位、体型等）にもよるので、使用者に予め入力させた身体情報に基づき適宜変更されるとよい。
【００５７】
本実施形態に係る医療機器１０は、基本的には以上のように構成されるものであり、この医療機器１０を用いた治療手順について幾つか説明する。
【００５８】
皮下脂肪の減少を目的とする場合、皮下脂肪が肥厚した箇所（例えば、腹部）を第１パッド２４が覆うようにして、第１装着体１４を使用者に装着する。図２Ａに示すように、第１パッド２４は、陰極２０を含む生体接触面部２８ａが体表側に向けられて装着される。この際、第１装着体１４のベルト２６（図１参照）は、使用者の腹部を回り込むように巻き付けられ、第１パッド２４の固定を安定化させる。
【００５９】
また、第２装着体１６は、第１装着体１４の近傍位置において、生体接触面部３２ａが体表側に向けて貼り付けられる。さらに、第１及び第２装着体１４、１６に接続しているコントローラ１８も、図示しないバンド等によって体表に携帯され、使用者により電源（不図示）がオンされることで、電気パルス供給部４２、ポンプ部４４及び制御本体部４６を起動する。その後は、例えば図３に示す第１処理フローに沿って、医療機器１０による治療を実施する。
【００６０】
具体的には、医療機器１０は、治療の開始に伴い、使用者のインピーダンスを測定しつつ、送出用圧迫部２８を拡張（加圧）していく（ステップＳ１０）。すなわち、制御本体部４６は、電気パルス供給部４２に動作指令を行い、インピーダンス測定部５４により使用者のインピーダンスを監視する。さらにインピーダンスの監視中に、制御本体部４６は、ポンプ部４４に動作指令を行い、第１チューブ３６を介してエアを供給し送出用圧迫部２８を拡張していく。これにより、送出用圧迫部２８の生体接触面部２８ａが体表を押し込み、正円形状の陰極２０全体を体表に対向（接触）させる（図２Ａも参照）。
【００６１】
送出用圧迫部２８の拡張中に、制御本体部４６は、メモリに記憶されている閾値を読み出し、インピーダンス測定部５４が測定したインピーダンスと比較する（ステップＳ１１）。そして、インピーダンスが閾値以上であればステップＳ１０に戻って同様の処理を繰り返し、インピーダンスが閾値より低くなった場合に、ステップＳ１２に進む。
【００６２】
ステップＳ１２において、制御本体部４６は、インピーダンス測定部５４によるインピーダンス測定を停止すると共に、送出用圧迫部２８の拡張を停止する。次に、制御本体部４６は、電気パルス供給部４２に動作指令を行い、電気パルス供給部４２から生成用周波数の電気パルスを供給し、この電気パルスを一対の電極１２から生体内に出力させる（ステップＳ１３）。これにより、陰極２０が対向する体内では、酸素と水の電気化学反応によって過酸化水素が生成される。
【００６３】
この際、制御本体部４６は、内部のタイマ部５２により電気刺激を実施している刺激期間を計測し、この刺激期間が予め保有している第１期間を経過したか否かを判定している（ステップＳ１４）。例えば、第１期間は、数十秒〜数分の範囲である。なお過酸化水素の生成量は、使用者の状態（治療部位、体型等）にもよるため、コントローラ１８の入出力装置に身体情報を入力させ、この身体情報に基づき第１期間を変動させてもよい。制御本体部４６は、刺激期間が第１期間を経過していない場合には、ステップＳ１３に戻って同様の処理を繰り返し、刺激期間が第１期間を経過した場合には、ステップＳ１５に進む。
【００６４】
ステップＳ１５において、制御本体部４６は、電気パルス供給部４２による電気パルスの供給（電気刺激）を停止する。その後、制御本体部４６は、ポンプ部４４に動作指令を行い、送出用圧迫部２８のさらなる拡張を行う（ステップＳ１６）。これにより、図４Ａに示すように、陰極２０の配置位置の皮下付近に多く存在していた過酸化水素は、体内の奥側に移動する。例えば、ポンプ部４４による送出用圧迫部２８の拡張は、予め設定された拡張量（エアの供給量）まで実施される。
【００６５】
送出用圧迫部２８による拡張が終了すると、次に、制御本体部４６は、電気パルス供給部４２に動作指令を行い、電気パルス供給部４２から送出用周波数の電気パルスを供給し、この電気パルスを一対の電極１２から生体内に出力させる（ステップＳ１７）。なお、電気パルス供給部４２は、電気パルスを間欠的に（複数の電気パルスがまとまった電気パルス群として）供給する構成であってもよい。これにより、送出用周波数の電気パルスの供給と停止が繰り返され、一対の電極１２間の筋肉が収縮及び弛緩を繰り返す。送出用圧迫部２８により筋肉付近まで移動していた過酸化水素は、筋肉の収縮及び弛緩に伴い、筋肉の周辺部に円滑に流動する。そのため、過酸化水素は、陰極２０の配置位置周辺に容易に拡散される。
【００６６】
そして、制御本体部４６は、内部のタイマ部５２により過酸化水素を送出している送出期間を計測し、この送出期間が予め保有している第２期間を経過したか否かを判定している（ステップＳ１８）。例えば、第２期間は、第１期間よりも短い期間に設定されている。制御本体部４６は、送出期間が第２期間を経過していない場合には、ステップＳ１７に戻って同様の処理を繰り返し、送出期間が第２期間を経過した場合には、ステップＳ１９に進む。
【００６７】
ステップＳ１９において、制御本体部４６は、電気パルス供給部４２による電気パルスの供給を停止させ、またポンプ部４４によるエアの排出を行い送出用圧迫部２８による体表の圧迫を停止する。これにより、過酸化水素の生成や圧迫により負担をかけていた生体組織を休ませることができる。この際、制御本体部４６は、内部のタイマ部５２により休憩期間を計測し、この休憩期間が予め保有している第３期間を経過したか否かを判定している（ステップＳ２０）。第３期間は、特に限定されないが、例えば第１期間よりも長い期間に設定されているとよい。
【００６８】
制御本体部４６は、休憩期間が第３期間を経過していない場合には、時間計測を継続し、休憩期間が第３期間を経過した場合には、第１処理フローを終了する。そして、使用者によりコントローラ１８の電源のオフがなされない場合は、再びステップＳ１０（或いはステップＳ１３）に戻って同様の処理を繰り返す。なお、制御本体部４６は、上記の第１処理フローの実施回数を予めセットしておき、ステップＳ２０までの処理が終了した後、実施回数の確認及びカウントを行い、実施回数がセットした回数に達した場合に、自動的に電源をオフする構成でもよい。
【００６９】
また、医療機器１０は、他の治療方法として、例えば図５に示す第２処理フローを実施してもよい。具体的には、図５中のステップＳ３０〜Ｓ３５までの処理フローは、図３中の第１処理フローと同じ処理を実施する。
【００７０】
そしてステップＳ３５の後、制御本体部４６は、ポンプ部４４に動作指令を行い、所定量のエアを供給して送出用圧迫部２８を加圧し、さらに送出用圧迫部２８の拡張状態を第２期間だけ維持する（ステップＳ３６）。このステップＳ３６の後、制御本体部４６は、ポンプ部４４に動作指令を行い、送出用圧迫部２８のエアを所定量排出して減圧し、さらに送出用圧迫部２８の減圧状態を第３期間だけ維持する（ステップＳ３７）。この第２期間及び第３期間は、第１期間に比べて短くてよく、例えば、数秒程度に設定されてよい。またこの場合の第２期間と第３期間は、同じ時間長でもよく、異なる時間長でもよい。
【００７１】
そして、制御本体部４６は、送出用圧迫部２８の加減圧（ステップＳ３６、Ｓ３７）の実施を、所定回数実施したか否かを判定する（ステップＳ３８）。送出用圧迫部２８の加減圧が所定回数に達していない場合には、ステップＳ３６に戻り、同様の処理を繰り返す。つまり、医療機器１０は、第１装着体１４において送出用圧迫部２８の加減圧を所定回数繰り返すことで、過酸化水素を生体内に拡散（送出）させる。
【００７２】
一方、所定回数に達した場合には、第２処理フローを終了する。そして、使用者によりコントローラ１８の電源のオフがなされていない場合は、再びステップＳ３０に戻って同様の処理を繰り返す。なお、制御本体部４６は、上記の第２処理フローにおいても、実施回数を予めセットしておき、ステップＳ３８までの処理が終了した後、実施回数の確認及びカウントを行い、実施回数がセットした回数に達した場合に、自動的に電源をオフする構成でもよい。
【００７３】
さらに、医療機器１０は、他の治療方法として、例えば図６に示す第３処理フローを実施してもよい。具体的には、制御本体部４６は、治療の開始に伴い、ポンプ部４４に動作指令を行い、第２チューブ３８を介して停滞用圧迫部３０を拡張し、所定圧になるとその状態を維持する（ステップＳ４０）。これにより、医療機器１０は、第１パッド２４が配置された治療箇所（陰極２０の配置位置）の周囲を圧迫していくことになる（図４Ｂを参照）。つまり停滞用圧迫部３０により圧迫された体表部分は、体液を含む生体組織の移動が抑制されることになる。なお、この停滞用圧迫部３０の加圧時に、制御本体部４６は、送出用圧迫部２８を合わせて拡張する構成としてもよく、これにより陰極２０と体表との接触状態を良好に保つことができる。
【００７４】
次に、制御本体部４６は、電気パルス供給部４２に動作指令を行い、電気パルス供給部４２から生成用周波数の電気パルスを供給し、この電気パルスを一対の電極１２から生体内に出力させる（ステップＳ４１）。これにより、陰極２０が対向する生体内では、酸素と水の電気化学反応によって過酸化水素が生成される。この過酸化水素は、陰極２０の周囲が停滞用圧迫部３０により圧迫されていることで、陰極２０付近に良好に滞留する。
【００７５】
そして、制御本体部４６は、内部のタイマ部５２により電気刺激を実施している刺激期間を計測し、この刺激期間が予め保有している第１期間を経過したか否かを判定している（ステップＳ４２）。制御本体部４６は、刺激期間が第１期間を経過していない場合には、ステップＳ４１に戻って同様の処理を繰り返し、刺激期間が第１期間を経過した場合には、ステップＳ４３に進む。
【００７６】
ステップＳ４３において、制御本体部４６は、電気パルス供給部４２による電気パルスの供給を停止する。その後、制御本体部４６は、停滞用圧迫部３０の拡張状態を継続しつつ、タイマ部５２により停滞期間を計測し、この停滞期間が予め保有している第２期間を経過したか否かを判定する（ステップＳ４４）。第２期間は、例えば、第１期間よりも長い期間に設定されるとよい。この第２期間中において、陰極２０付近に生成された過酸化水素は、陰極２０付近に多く残留してこの箇所の治療を促進することができる。制御本体部４６は、停滞期間が第２期間を経過していない場合には、停滞用圧迫部３０の拡張状態を継続し、停滞期間が第２期間を経過した場合には、ステップＳ４５に進む。
【００７７】
ステップＳ４５において、制御本体部４６は、ポンプ部４４に動作指令を行い、停滞用圧迫部３０からエアを排出することで、停滞用圧迫部３０を減圧状態とする。これにより、停滞していた過酸化水素が陰極２０下の周辺部に流出する。また、過酸化水素の生成や圧迫により負担をかけていた生体組織を休ませることができる。そして、制御本体部４６は、内部のタイマ部５２により休憩期間を計測し、この休憩期間が予め保有している第３期間を経過したか否かを判定している（ステップＳ４６）。第３期間は、特に限定されないが、例えば第２期間よりも長い期間に設定されているとよい。
【００７８】
制御本体部４６は、休憩期間が第３期間を経過していない場合には、時間計測を継続し、休憩期間が第３期間を経過した場合には、第３処理フローを終了する。そして、使用者によりコントローラ１８の電源のオフがなされない場合は、再びステップＳ４０に戻って同様の処理を繰り返す。なお、制御本体部４６は、上記の第３処理フローにおいても、実施回数を予めセットしておき、ステップＳ４６までの処理が終了した後、実施回数の確認及びカウントを行い、実施回数がセットした回数に達した場合に、自動的に電源をオフする構成でもよい。
【００７９】
なお、医療機器１０は、上述した第１〜第３処理フローを適宜組み合わせて制御を行ってもよい。例えば、図７に示す第４処理フローのように、過酸化水素の生成時には、停滞用圧迫部３０の圧迫により過酸化水素を陰極２０付近に停滞させ、所定時間経過後に過酸化水素を周囲に拡散（送出）する処理を行ってもよい。
【００８０】
具体的には、治療の開始に伴い、使用者のインピーダンスを測定しつつ、送出用圧迫部２８及び停滞用圧迫部３０を拡張（加圧）していく（ステップＳ５０）。この際、ポンプ部４４は、送出用圧迫部２８よりも停滞用圧迫部３０が体表を強く圧迫するようにエアの供給圧を調整する。これにより、陰極２０を体表に接触させつつ、陰極２０の周囲を停滞用圧迫部３０により押圧していく。
【００８１】
制御本体部４６は、インピーダンス測定部５４が測定したインピーダンスと閾値とを比較する（ステップＳ５１）。そして、インピーダンスが閾値以上であればステップＳ５０に戻って同様の処理を繰り返し、インピーダンスが閾値より低くなった場合に、ステップＳ５２に進む。
【００８２】
ステップＳ５２において、制御本体部４６は、インピーダンス測定部５４によるインピーダンス測定を停止すると共に、送出用圧迫部２８及び停滞用圧迫部３０の拡張を停止する。この状態では、停滞用圧迫部３０による陰極２０の周囲の体表が押圧され、過酸化水素を停滞させる環境が整っている。
【００８３】
次に、制御本体部４６は、電気パルス供給部４２に動作指令を行い、電気パルス供給部４２から生成用周波数の電気パルスを供給し、この電気パルスを一対の電極１２から生体内に出力させる（ステップＳ５３）。これにより、陰極２０付近の生体内に過酸化水素が生成され、その位置で滞留する。
【００８４】
そして、制御本体部４６は、内部のタイマ部５２により電気刺激を実施している刺激期間を計測し、この刺激期間が予め保有している第１期間を経過したか否かを判定している（ステップＳ５４）。制御本体部４６は、刺激期間が第１期間を経過していない場合には、ステップＳ５３に戻って同様の処理を繰り返し、刺激期間が第１期間を経過した場合には、ステップＳ５５に進む。
【００８５】
ステップＳ５５において、制御本体部４６は、電気パルス供給部４２による電気パルスの供給を停止する。その後、制御本体部４６は、停滞用圧迫部３０の拡張状態を継続しつつ、タイマ部５２により停滞期間を計測し、この停滞期間が予め保有している第２期間を経過したか否かを判定する（ステップＳ５６）。この第２期間中において、陰極２０付近に生成された過酸化水素は、陰極２０付近に多く残留してこの箇所の治療を促進することができる。制御本体部４６は、停滞期間が第２期間を経過していない場合には、停滞用圧迫部３０の拡張状態を継続し、停滞期間が第２期間を経過した場合には、ステップＳ５７に進む。
【００８６】
ステップＳ５７において、制御本体部４６は、ポンプ部４４に動作指令を行い、停滞用圧迫部３０からエアを排出することで、停滞用圧迫部３０を減圧状態とする。その後、制御本体部４６は、ポンプ部４４に動作指令を行い、送出用圧迫部２８のさらなる拡張を行う（ステップＳ５８）。これにより、陰極２０の留置箇所の皮下付近に多く存在していた過酸化水素は、体内の奥側に移動する。
【００８７】
送出用圧迫部２８による拡張が終了すると、次に、制御本体部４６は、電気パルス供給部４２から送出用周波数の電気パルスを供給し、この電気パルスを一対の電極１２から生体内に出力させる（ステップＳ５９）。これにより、過酸化水素は、筋肉の収縮及び弛緩に伴い、筋肉の周辺部に円滑に流動し、陰極２０の留置箇所の周辺部に容易に拡散される。
【００８８】
そして、制御本体部４６は、内部のタイマ部５２により過酸化水素を送出している送出期間を計測し、この送出期間が予め保有している第３期間を経過したか否かを判定している（ステップＳ６０）。制御本体部４６は、送出期間が第３期間を経過していない場合には、ステップＳ５９に戻って同様の処理を繰り返し、送出期間が第３期間を経過した場合には、ステップＳ６１に進む。
【００８９】
ステップＳ６１において、制御本体部４６は、電気パルス供給部４２による電気パルスの供給を停止させ、またポンプ部４４によるエアの排出を行い送出用圧迫部２８による体表の圧迫を停止する。この際、制御本体部４６は、内部のタイマ部５２により休憩期間を計測し、この休憩期間が予め保有している第４期間を経過したか否かを判定している（ステップＳ６２）。
【００９０】
制御本体部４６は、休憩期間が第４期間を経過していない場合には、時間計測を継続し、休憩期間が第４期間を経過した場合には、第４処理フローを終了する。そして、使用者によりコントローラ１８の電源のオフがなされない場合は、再びステップＳ５０（或いはステップＳ５３）に戻って同様の処理を繰り返す。なお、制御本体部４６は、上記の第４処理フローでも、実施回数を予めセットしておき、ステップＳ６２までの処理が終了した後、実施回数の確認及びカウントを行い、実施回数がセットした回数に達した場合に、自動的に電源をオフする構成でもよい。
【００９１】
以上のように、本実施形態の医療機器１０は、以下の効果を奏する。
【００９２】
具体的には、医療機器１０は、電気パルス供給部４２から一対の電極１２に電気パルスを供給することで、陰極２０の配置位置の体内に過酸化水素を良好に生成することができる。そして、送出用圧迫部２８は、体表を圧迫することで、生成された過酸化水素を陰極２０の配置位置から周辺部に移動させる。すなわち、輸液療法に比べて治療箇所の周辺に対し過酸化水素の濃度を高めることが可能となり、短い時間で過酸化水素による治療の促進を図ることができる。しかも、一対の電極１２及び送出用圧迫部２８は、侵襲性なく体表に配置され、医師の手技を必要としなくてよい。また、医療機器１０は、陰極２０の配置位置付近に過酸化水素が多く滞留することによる組織の炎症や損傷の発生等を低減することができ、陰極２０の配置位置付近の過酸化水素を移動させた後、再び過酸化水素の生成を行うことが可能となる。従って、過酸化水素の生成効率を高めることができる。
【００９３】
この場合、医療機器１０は、陰極２０と送出用圧迫部２８とが重なっていることで、送出用圧迫部２８の拡張に伴い体表に陰極２０をより確実に配置することができる。従って、過酸化水素の生成量を一層増やすことが可能となる。
【００９４】
また、医療機器１０は、コントローラ１８により電気パルス供給部４２とポンプ部４４の動作を制御することで、過酸化水素の生成と、過酸化水素の送出とを適切なタイミングで実施することができる。すなわち、過酸化水素がある程度生成された段階で、送出用圧迫部２８が体表の圧迫を行うことにより、過酸化水素を良好に分布させることができる。
【００９５】
これに加えて、医療機器１０は、電気パルス供給部４２により生成用周波数と送出用周波数の電気パルスを供給することで、一対の電極１２を過酸化水素の生成用電極と送出用電極として機能させる。これにより、別の電極を設けずにすみ、製造コストを低減することができる。
【００９６】
しかも、医療機器１０は、送出用圧迫部２８の拡張状態で送出用周波数の電気パルスを供給させることで、過酸化水素を移動させつつ、筋肉を収縮させる。これにより、過酸化水素を体内の奥部まで浸透させることが可能となる。従って、体内の奥部の治療をより効果的に行うことができる。
【００９７】
さらに、医療機器１０は、送出用圧迫部２８を第１拡張状態と第２拡張状態とに段階的に変形させることで、過酸化水素の効率的な生成と送出とをスムーズに実施することができる。
【００９８】
また、医療機器１０は、停滞用圧迫部３０により体表を圧迫することで、生成された過酸化水素を陰極２０の配置位置に停滞させる。すなわち、停滞用圧迫部３０を有する構成でも、点滴治療に比べて陰極２０の配置位置（治療箇所）に対し過酸化水素の濃度を高めることが可能となり、短い時間で過酸化水素による治療の促進を図ることができる。しかも、一対の電極１２及び停滞用圧迫部３０は、侵襲性なく体表に配置され、医師の手技を必要としなくてよい。
【００９９】
特に、医療機器１０は、送出用圧迫部２８に加えて停滞用圧迫部３０を備えることで、治療内容等に応じて、陰極２０の配置位置における過酸化水素の停滞と、過酸化水素の送出と、を使用者が任意に実施することができる。
【０１００】
そして、停滞用圧迫部３０は、送出用圧迫部２８の全周を囲っていることで、拡張状態で体表を囲うように圧迫する。よって、過酸化水素をより効果的に停滞させることができる。
【０１０１】
医療機器１０は、コントローラ１８によって、停滞用圧迫部３０が体表の圧迫を行うことにより、体液等の移動を抑制した後、電気パルスによる過酸化水素の生成を行うことで、過酸化水素の濃度を短時間に高めることができる。
【０１０２】
またさらに、医療機器１０は、ベルト２６と重なる位置に陰極２０が設けられることで、ベルト２６を生体に巻きつけた状態で、陰極２０を体表に容易に対向配置することができる。従って、後の過酸化水素の生成や送出等を良好に実施することが可能となる。
【０１０３】
さらにまた、医療機器１０は、生体のインピーダンスを測定することで、一対の電極１２が体表に対して過酸化水素を充分に生成可能に配置されているか否かを監視することができる。つまり、インピーダンスが所定以下になった場合に過酸化水素の生成を行うことで、より効率的に治療を促進することが可能となる。
【０１０４】
なお、本発明は、上述の実施形態に限定されず、発明の要旨に沿って種々の改変が可能である。例えば、医療機器１０は、制御本体部４６により電気パルスの供給タイミングと、ポンプ部４４のエアの供給及び排出のタイミングを制御する構成とした。しかしながら、医療機器１０は、電気パルス供給部４２とポンプ部４４を使用者が手動で操作する構成でもよい。
【０１０５】
また例えば、上述の実施形態では、第１パッド２４（第１装着体１４）に送出用圧迫部２８と停滞用圧迫部３０の両方を配置した構成とした。しかしながら、図８Ａに示す第１変形例に係る医療機器１０Ａのように、第１パッド２４には送出用圧迫部２８のみが設けられてもよい。この場合でも、医療機器１０Ａは、上述した第１又は第２処理フローを実施することができる。
【０１０６】
逆に、図８Ｂに示す第２変形例に係る医療機器１０Ｂのように、第１パッド２４には停滞用圧迫部３０のみが設けられてもよい。この場合でも、医療機器１０Ｂは、上述した第３処理フローを実施することができる。
【図１】
2019176821.tif 000003
【図２】
2019176821.tif 000004
【図３】
2019176821.tif 000005
【図４】
2019176821.tif 000006
【図５】
2019176821.tif 000007
【図６】
2019176821.tif 000008
【図７】
2019176821.tif 000009
【図８】
2019176821.tif 000010
【国際調査報告】
2019176821.tif 000011
2019176821.tif 000012
2019176821.tif 000013